(57)【要約】【課題】帽子が型崩れするのを防止して当初の略正四角錐形状を維持させることができる帽子を提供する。【解決手段】発泡樹脂材で全体の外形を略正四角錐形状に形成し、内部を中空に形成した中空内部１１を有する帽子本体１と、略中央部に頭部に嵌合する嵌合孔を有し、帽子本体の底部に設けた底壁部２を備えた帽子であって、本体の中空内部の頂部に水晶その他のクオーツ３を取付ける。底壁部は帽子本体の略正四角錐形状を形成した各壁部１０の底縁から折り線を介して延設した折り返し壁部２２を内側方向へ折り返して隣接する各折り返し壁部同士を留め具で係脱可能に係着して構成し、嵌合孔は各折り返し壁部の先端縁で形成する。各折り返し壁部の内壁面を補強材４で補強する。【選択図】図５
0003213145.tif 000002
【実用新案登録請求の範囲】
【請求項１】
発泡樹脂材で全体の外形を略正四角錐形状に形成し、内部を中空に形成した中空内部を有する帽子本体と、略中央部に頭部に嵌合する略円形状の嵌合孔を有し、前記本体の底部に設けた底壁部とを備えた帽子であって、
前記本体の前記中空内部の頂部には、所望の大きさ、かつ、所望形状の水晶その他のクオーツが取付けて設けられ、
前記本体は、前記本体の略正四角形状を形成した略三角形状の各壁部の底縁から折り線を介して折り曲げ可能に延設した折り返し壁部を備え、
前記底壁部は、前記各折り返し壁部を前記本体の内側方向へ略水平状に折り返して隣接する前記各折り返し壁部同士をホックその他の留め具で係脱可能に係着して構成され、
前記略円形状の前記嵌合孔は、前記各折り返し壁部の先端縁で形成され、
前記各折り返し壁部の内壁面は補強材で補強されている
ことを特徴とする帽子。
【請求項２】
前記底壁部の前記嵌合孔の周縁部に一定間隔で所望数の切り線を放射状方向に形成して前記嵌合孔の周縁部に弾性的に折り曲げ可能な所望数の挟持片を設けたことを特徴とする請求項１に記載の帽子。
【請求項３】
前記帽子は、前記底壁部の所望部に着脱可能に取付けて設けたゴム紐、繊維紐その他の装着用の紐を備えていることを特徴とする請求項１又は２に記載の帽子。
【請求項４】
前記装着用の紐は、前記底壁部の対向する前記折り返し壁部の略中央部における前記本体の底縁部近くの部位に位置させてホックその他の所望の取付手段で着脱可能に取付けてあることを特徴とする請求項３に記載の帽子。
【考案の詳細な説明】
【技術分野】
【０００１】
本考案は、頭部に着用する帽子に関する。
【背景技術】
【０００２】
従来より、未知なるエネルギーとしてピラミッドパワーが一般に知られている。しかし、ピラミッドパワーの実体については未だ解明されていない。本出願人は、ピラミッドパワーに着目し、発泡ポリエチレン等の発泡樹脂材で形成したピラミッド形の帽子を開発した。この帽子は、全体を略四角錐形状の箱形に形成したピラミッド形の帽子本体の底部に、頭部に嵌合する嵌合孔を有する底壁部を設け、頭部に嵌合して着用するように構成したものである（特許文献１参照）。
【０００３】
特許文献１に記載の発明（以下「先行発明」という）によれば、安全かつ着用時に頭部への負担が少なく、優れた意匠美を有する帽子を提供できる。
【０００４】
しかるに、一方において、先行発明は次のような改良を加えるべき余地が残されている。即ち、先行発明は発泡ポリエチレン等の発泡樹脂材で形成したピラミッド形（略四角錐形状）の帽子本体の底部に、頭部を嵌合する嵌合孔を有する底壁部を一体に形成して構成されている。そのため、前記本体を構成した略三角形状の各壁部及び底壁部は腰が弱くなる傾向にあり、その結果、前記本体の前記各壁部が主に凹状に湾曲する等、型崩れを起し易く、当初（本来）の形状を失って見栄が悪くなる問題を有していることが判明した。また、底壁部も前記本体と同様に腰が弱くなる傾向にあり、前記本体と同様に型崩れを起し易く、当初の形状を失って見栄が悪くなる問題を有している。
【０００５】
さらにまた、本考案の帽子は、頭部に装着する以外に、前記底部に装着用の紐を取付けて、例えば、身体の膝部や肩部、或いは背中等の所望の部位に装着して使用する際には、底壁部が紐で引っ張られて顕著に変形すると共に前記本体の各壁部も変形して型崩れを起し易くなり、見栄が悪くなる問題を有している。
【０００６】
上記の場合において、帽子本体及び底壁部を例えば硬質のプラスチック板等で構成することにより、上記した型崩れ等の問題を解消することが考えられる。しかし、この構成によると、例えば帽子本体や底壁部の角部等で身体を損傷する問題が発生する等のおそれがある。
【先行技術文献】
【特許文献】
【０００７】
【特許文献１】特開２００３−１８３９２２号公報
【考案の概要】
【考案が解決しようとする課題】
【０００８】
本考案は上記したような実情に鑑みてなされたもので、先行発明の有する特長はそのまま活用し、先行発明の上述した型崩れの問題を解消して、帽子本体及び底壁部を長期間に亘り当初の本来の形状に維持させることができる帽子を提供することを目的とするものである。
【課題を解決するための手段】
【０００９】
上記目的を達成するため、本考案のうち１つの考案（第１の考案）は、発泡樹脂材で全体の外形を略正四角錐形状に形成し、内部を中空に形成した中空内部を有する帽子本体と、略中央部に頭部に嵌合する略円形状の嵌合孔を有し、前記本体の底部に設けた底壁部とを備えた帽子であって、
前記本体の前記中空内部の頂部には、所望の大きさ、かつ、所望形状の水晶その他のクオーツが取付けて設けられ、
前記本体は、前記本体の略正四角形状を形成した略三角形状の各壁部の底縁から折り線を介して折り曲げ可能に延設した折り返し壁部を備え、
前記底壁部は、前記各折り返し壁部を前記本体の内側方向へ略水平状に折り返して隣接する前記各折り返し壁部同士をホックその他の留め具で係脱可能に係着して構成され、
前記略円形状の前記嵌合孔は、前記各折り返し壁部の先端縁で形成され、
前記各折り返し壁部の内壁面は補強材で補強されていることを特徴とする。
【００１０】
本考案の他の１つの考案（第２の考案）は、第１の考案の帽子において、前記底壁部の前記嵌合孔の周縁部に一定間隔で所望数の切り線を放射状方向に形成して前記嵌合孔の周縁部に弾性的に折り曲げ可能な所望数の挟持片を設けたことを特徴とする。
【００１１】
本考案のさらに他の１つの考案（第３の考案）は、第１又は第２の考案の帽子において、前記帽子は、前記底壁部の所望部に着脱可能に取付けて設けたゴム紐、繊維紐その他の装着用の紐を備えていることを特徴とする。
【００１２】
本考案のさらに他の１つの考案（第４の考案）は、第３の考案の帽子において、前記装着用の紐は、前記底壁部の対向する前記折り返し壁部の略中央部における前記本体の底縁部近くの部位に位置させてホックその他の所望の取付手段で着脱可能に取付けてあることを特徴とする。
【考案の効果】
【００１３】
本考案によれば、次のような作用効果を奏する。
（１）先行発明の有する上述した作用効果を発揮する帽子を提供できる。
（２）底壁部を構成した各折り返し壁部の内壁面は補強材で補強されているので、底壁部及び帽子本体の型崩れを防止して、長期間に亘り当初（本来）の形状に維持させることができる。
（３）上記（２）により、底壁部に装着用の紐を取付けて底壁部が引っ張られても底壁部及び帽子本体が変形して型崩れを起こす問題を解消することができる。
（４）帽子に水晶パワーその他のクオーツパワーによる心理的効果を具備させることができる。
【図面の簡単な説明】
【００１４】
【図１】本考案の一実施形態の帽子の構成を概略的に示す説明斜視図（ａ）と説明底面図（ｂ）である。
【図２】前記帽子の構成を概略的に示す図であって、同図（ａ）は説明縦断面図、同図（ｂ）は同図（ａ）の一部の構成を拡大して示す説明縦断面図である。
【図３】前記帽子に採用した補強材の一例の構成を概略的に示す説明正面図である。
【図４】前記帽子の説明展開底面図である。
【図５】前記帽子を頭部に着用した状態を示す説明図である。
【図６】本考案の他の実施形態の帽子の構成を概略的に示す説明底面図である。
【図７】図６の帽子の一部の構成を概略的に示す説明拡大縦断面図である。
【図８】図７に示す帽子の説明展開底面図である。
【図９】図７に示す帽子に取付ける装着用の紐の構成を概略的に示す図であって、同図（ａ）は説明平面図、同図（ｂ）は取付板の説明斜視図、同図（ｃ）は説明側面図である。
【図１０】図９に示す装着用の紐を拡大して示す説明平面図（ａ）と説明側面図である。
【図１１】前記装着用の紐を帽子に着脱自在に係着して取付ける状態を示す説明図である。
【図１２】前記帽子に前記紐を取付けた状態を示す説明正面図である。
【考案を実施するための形態】
【００１５】
以下、図面を参照して本考案の帽子の実施形態の一例について説明する。
【００１６】
図１ないし図５は、本考案の一実施形態（実施形態１）の帽子を示す。
【００１７】
図１ないし図５に示すように、本実施形態（実施形態１）の帽子１００は、全体の外形を略正四角錐形状に形成した帽子本体１と、帽子本体１の底部に設けた底壁部２とを備える。
【００１８】
帽子本体１は内部全体を中空に形成した中空内部１１を備える。前記本体１の中空内部１１の壁面（前記本体１の内壁面）は、略正四角錐形状に形成されている。
底壁部２は、略中央部に頭部Ａ（図５参照）に嵌合する嵌合孔２０を有している。
【００１９】
帽子本体１及び底壁部２は、発泡ポリエチレン、発泡ポリウレタン、発泡スチロールその他の発泡樹脂材で構成されている。本実施形態では帽子本体１及び底壁部２の構成素材として、発泡ポリエチレンを採用している。
【００２０】
帽子本体１及び底壁部２は任意の成形加工方法により成形できる。例えば、板状体の素材を切断して組み立て加工（接着剤を使用）する方法を採用できるが、真空成形等により成形する方法を採用することができる。
【００２１】
前記本体１の肉厚、即ち、前記本体１の略正四角錐形状に形成した略三角形状の４つの各壁部１０…１０及び底壁部２の後述する各折り返し壁部の肉厚は特に限定するものではなく、採用する発泡樹脂材の素材等により設定できるものであるが、例えば約１．５ミリ〜約４ミリ程度の範囲を挙げることができる。但し、上記範囲内に限定するものではない。
【００２２】
本実施形態の帽子の前記本体及び底壁部は、上述したように構成素材として発泡ポリエチレンを採用し、真空成形により成形する方法を採用している。また、本体１の肉厚（前記各壁部１０の肉厚）及び底壁部の各折り返し壁部の肉厚は約２．０ミリ程度に設定して形成されている。なお、上述したように、前記帽子の成形加工方法並びに前記本体及び底壁部の肉厚は一例として開示したもので、上記に限定するものではないこと勿論である。
【００２３】
前記帽子本体１の中空内部１１の頂部には、所望の大きさ、かつ、所望形状の水晶、アメジスト、タイガーズ・アイ、シトリンその他のクオーツ３が固定して設けられている。水晶その他のクオーツ３は、強力接着剤を用いて接着し、或いは係止用留め材３０を使用して保持する等により取付ける。本実施形態では係止用留め材３０を用いて取付けた例が開示されている。また、本実施形態ではクオーツ３として直径約２．０ｃｍ〜約２．５ｃｍの水晶球を採用した例が開示されている。
【００２４】
本実施形態（実施形態１）の帽子１００は、上述したように、略中央部に頭部Ａに嵌合する略円形状の嵌合孔２０を有し、本体１の底部に設けた底壁部２を備える。
【００２５】
本実施形態の帽子は、帽子本体１の略正四角錐形状を形成した略三角形状の前記各壁部の底縁から折り線２１…２１を介して折り曲げ可能に延設した折り返し壁部２２、２２、２２、２２を備える。そして、前記底壁部２は、前記各折り返し壁部２２を内側方向へ略水平状に折り返すと共に隣接する各折り返し壁部２２同士をホックその他の留め具２３で係脱可能に係着して構成されている。
【００２６】
本実施形態では、留め具２３としてホックを採用している。そして、ホックの一方のホック部２３ａ（雄ホック又は雌ホック）を隣接する一方の折り返し壁部２２に固定して取付けると共にホックの他方のホック部２３ｂ（雌ホック又は雄ホック）を隣接する他方の返し壁部２２に固定して取付け、両ホック部２３ａ及び２３ｂを係合することにより、隣接する各折り返し壁部同士を係脱可能に係着するように構成されている。
【００２７】
本実施形態の底壁部２の前記略円形状の嵌合孔２０は、前記各折り返し壁部２２の先端縁に形成されている。
【００２８】
また、底壁部２の前記嵌合孔２０の周縁部には一定間隔で所望数の切り線２４…２４（切り溝）を放射状方向に形成して嵌合孔２０の周縁部に設けた弾性的に折り曲げ可能な独立した所望数の挟持片２５…２５を備えている。
【００２９】
本実施形態の帽子は、図５に示すように、底壁部２の嵌合孔２０を頭部Ａに嵌合して装着するものである。そして、前記狭持片２５…２５を設ける構成を採用することにより、各挟持片は着用者の頭部Ａにより押圧されて弾性的に折り曲げられて頭部の周囲を挟持するように作用する。これにより、帽子の着用者の頭部のサイズに対応して各挟持片が弾性的に変形して頭部を挟持するので、着用者の頭部のサイズが異なっていても、挟持片により調整して、帽子がズレ落ちたり、移動することなく、安定して装着することができる。
【００３０】
前記底壁部２の各折り返し壁部２２の内壁面は補強材４で補強されている。
【００３１】
補強材４の素材は特に限定するものではないが、例えば、プラスチック製ベニヤ板、プラスチック製ダンボール、プラスチック板、厚紙等の紙材、木製板等の木材、竹材、或いはアルミ板等の軽金属板等を採用できる。
【００３２】
上述したように、補強材４の素材は特に限定するものではないが、軽量かつ目的とする補強作用を有する素材を選択することが好ましい。本実施形態では、補強材４として、セキスイ社製のプラスチック製ベニヤ（プラベニヤ）を採用している。
【００３３】
本実施形態の補強材４は、プラベニヤを図４等に示すように、底壁部２の各折り返し壁部２２の横幅より幾分短尺の横幅、かつ、各折り返し壁部２２の縦幅の約１／２弱の縦幅の横長状の形状に切断して形成した補強用板材４０で構成されている。そして、前記補強用板材４０を各折り返し壁部２２の折り返し部側における内壁面に両面粘着テープ（図示せず）等で接着固定して、各壁部２２を補強した例が開示されている。これにより、各折り返し壁部２２は補強材４で補強される。また、上記のように、各折り返し壁部を補強材で補強することにより、帽子本体１の略下半部側、即ち、帽子本体の略三角形状の各壁部１０の略下半部側の強度が増強される傾向になる。
【００３４】
本実施形態（実施形態１）の帽子１００は上記のように構成したもので、例えば図５に示すように、底壁部の嵌合孔２０を頭部Ａに嵌合して着用するものである。
【００３５】
実施形態１の帽子１００によれば、次のような作用効果を奏する。
（１）先行発明の有する上述した作用効果を奏する帽子を提供することができる。
（２）底壁部を構成した各折り返し壁部の内壁部は補強材で補強されているので、底壁部及び帽子本体の型崩れを防止して、長期間に亘り当初（本来）の形状を維持させることができる。
（３）上記（２）により、底壁部に装着用の紐を取付けて底壁部が引っ張られても底壁部及び帽子本体が変形して型崩れを起こす問題を解消することができる。
（４）帽子に水晶パワーその他のクオーツパワーによる心理的効果を具備させることができる。
【００３６】
図６はないし図１２は本考案の他の実施形態（実施形態２）の帽子を示す。なお、実施形態２の帽子２００において、実施形態１で既に説明した構成と共通する構成部等には同一符号を付して説明を省略する。
【００３７】
実施形態２の帽子２００は、帽子の底壁部に着脱可能に装着用の紐を備えた構成に特徴がある。
【００３８】
実施形態２の帽子２００は、前記底壁部２の前記底壁部２の所望の部位に所望の取付手段６により着脱可能に取付けて設けるように構成した装着用の紐５を備える。
【００３９】
前記紐５の素材は特に限定するものではないが、一般的にゴム紐や各種の繊維製の紐等を採用できる。前記紐の長さは自由に決めることができる。実施形態２では所望長さのゴム紐が採用される。
【００４０】
前記紐５は所望の取付手段６により底壁部２の所望の部位に着脱可能に取付けられる。
【００４１】
実施形態２では、取付手段６として、ホックを採用した例が開示されている。また、実施形態２では、底壁部２の対向する折り返し壁部に前記紐を取付けるように構成した例が開示されている。
【００４２】
実施形態２の帽子は、底壁部２の対向する折り返し壁部の略中央部における前記帽子本体１の底壁部近くの部位に位置させて、ホックの一方のホック部６０ａ（雌ホック又は雄ホック）を固定して設けてある。
【００４３】
また、実施形態２は、所望の大きさ、かつ、所望形状の一対の取付板６１、６１を備える。そして、取付手段の他方のホック部６０ｂ（雄ホック又は雌ホック）は、前記両取付板６１の所望部にそれぞれ取付けてある。前記両取付板６１には前記紐５を取付ける取付孔６２、６２が形成されている。
【００４４】
前記紐５は、紐５の長さを所望の長さに調整して、その一端部側を一方の取付板６１の取付孔６２に挿通して結び着すると共に紐の他端部側を他方の取付板６１の取付孔６２に挿通して結び着する。そして、上記状態で紐側の両ホック部６ｂを底壁部２側の両ホック部６０ａにそれぞれ係着することにより、前記紐５を帽子の底壁部２に着脱可能に取付ける。これにより、図１２に示すように、帽子の底壁部に装着用の紐５を着脱可能に取付けることができる。
【００４５】
なお、装着用の紐５の取付手段は上記に限定するものではなく、例えば、底壁部２の折り返し壁部の所望部位に孔を開け、この孔に紐を挿通して結び着する等、他の構成による取付手段を採用してもよいものである。要は、底壁部の所望部に着脱可能になるように取付けるように構成すればよいものである。
【００４６】
実施形態２の帽子２００は上記のように構成したもので、実施形態１の帽子と同様に底壁部の嵌合孔２０を頭部Ａに嵌合して着用することができると共に、例えば身体の膝部や、肩部、或いは背中部等の所望の部位に前記紐を利用して装着して使用することが可能になる。また、実施形態１と同様の作用効果を発揮する。
【００４７】
なお、上記した各実施形態の帽子は一例として開示したもので、本考案は上記実施形態に限定されるものではなく、実用新案登録請求の範囲に記載の技術思想を越脱しない範囲において任意に変更可能なものである。
【符号の説明】
【００４８】
１        帽子本体
２        底壁部
３        クオーツ
４        補強材
５        装着用の紐
１０      略三角形状の壁部
１１      中空内部
２０      嵌合孔
２１      折り線
２２      折り返し壁部
２３      留め具
Ａ        頭部
【図１】
0003213145.tif 000003
【図２】
0003213145.tif 000004
【図３】
0003213145.tif 000005
【図４】
0003213145.tif 000006
【図５】
0003213145.tif 000007
【図６】
0003213145.tif 000008
【図７】
0003213145.tif 000009
【図８】
0003213145.tif 000010
【図９】
0003213145.tif 000011
【図１０】
0003213145.tif 000012
【図１１】
0003213145.tif 000013
【図１２】
0003213145.tif 000014